(57)【要約】【構成】複合機にＨＴＴＰサーバ機能処理部を設け、ＷＥＢページを経由して、ＨＴＴＰプロトコルにより、親展ボックスのユーザー名、ＩＰアドレス、ＤＮＳ名を登録子、、親展ボックスを開設する。ユーザーがクライアントからプリントデータを送出するとプリントが実行される。ファクシミリ送信先を親展ボックスに指定し、これとは別途にプリントデータを送出すると、指定された送信先にファクシミリ送信する。【効果】ＷＥＢブラウザから複合機に親展ボックスを開設でき、かつプリント／ファクシミリ送信をクライアントから簡単に切り替えて操作できる。【選択図】　　図５
2004120088.tif 000002
【特許請求の範囲】
【請求項１】
ＨＴＴＰサーバ機能を使用して、クライアントにＷＥＢページを送出可能で、ファクシミリとプリントとが可能な複合機において、
ＷＥＢページを介してクライアントのアドレスを受け付けて、該アドレスに対する親展ボックスを開設するための手段と、
ＷＥＢページを介して、クライアントから、ファクシミリ送信先のアドレスを受け付けるための手段と、
前記送信先アドレスとは別途にクライアントアから前記親展ボックスへのプリントデータを受信し、受信したプリントデータを前記ファクシミリ送信先へ送信するための手段、とを設けたことを特徴とする、ファクシミリ／プリンタ複合機。
【請求項２】
ファクシミリ送信先のアドレスまたはファクシミリ送信する旨の指示をクライアントから受け付けることにより、親展ボックスの状態をファクシミリ送信にセットし、前記ファクシミリ送信を完了することにより、親展ボックスの状態を元の状態にリセットするように構成したことを特徴とする、請求項１のファクシミリ／プリンタ複合機。
【請求項３】
ＨＴＴＰサーバ機能を使用して、クライアントにＷＥＢページを送出可能で、ファクシミリとプリントとが可能な複合機のためのプログラムにおいて、
ＷＥＢページを介して、クライアントのアドレスを受け付けて、該アドレスに対する親展ボックスを開設するための命令と、
ＷＥＢページを介して、クライアントから、ファクシミリ送信先のアドレスを受け付けるための命令と、
前記送信先アドレスとは別途にクライアントアから前記親展ボックスへのプリントデータを受信し、受信したプリントデータを前記ファクシミリ送信先へ送信するための命令とを備えたことを特徴とする、ファクシミリ／プリンタ複合機用のプログラム。
【請求項４】
ＨＴＴＰサーバ機能を使用して、クライアントにＷＥＢページを送出可能で、ファクシミリとプリントとが可能な複合機と、ネットワークを介して該複合機に接続されたクライアントとからなり、
前記複合機からのＷＥＢページに、クライアントからそのアドレスを記入して、複合機に返信することにより、該アドレスに対する親展ボックスを、複合機内に開設し、
前記複合機からのＷＥＢページに、ファクシミリ送信先のアドレスを記入してクライアントから複合機に返信し、かつ該返信とは別途にクライアントからプリントデータを複合機に送出することにより、受信したプリントデータを複合機から指定された送信先アドレスへファクシミリ送信する、ように構成したことを特徴とする、システム。
【発明の詳細な説明】
【０００１】
【発明の利用分野】
この発明は、ファクシミリとプリントとが自在な複合機と、そのプログラムならびに、このような複合機を用いたシステムに関する。
【０００２】
【従来技術】
【０００３】
【特許文献１】特開平２０００−１９６７９９号公報
【０００４】
特許文献１には、プリンタ、ファクシミリ、スキャナ等の機能を複合した複合機をネットワークに接続して、プリントサーバ兼ファクシミリサーバ兼スキャナサーバとして使用することが開示されている。
【０００５】
発明者はこれとは別に、複合機内にクライアント毎やユーザー毎の親展ボックスを開設し、親展ボックス内のデータをユーザーが自由に操作できるようにすることにより、ネットワークからの複合機の操作性を向上させることを検討した。
【０００６】
【発明の課題】
この発明の基本的課題は、親展ボックスをクライアントから容易に開設して利用できるようにし、かつ親展ボックスを利用して、プリントとファクシミリとを、ユーザーが容易に使い分けできるようにすることにある（請求項１〜４）。
請求項２の発明での追加の課題は、親展ボックスの状態をファクシミリ送信とそれ以外の状態との間で、容易に切り替えられるようにして、ユーザーの操作性を更に向上させることにある。
【０００７】
【発明の構成】
この発明は、ＨＴＴＰサーバ機能を使用して、クライアントにＷＥＢページを送出可能で、ファクシミリとプリントとが可能な複合機において、ＷＥＢページを介してクライアントのアドレスを受け付けて、該アドレスに対する親展ボックスを開設するための手段と、ＷＥＢページを介して、クライアントから、ファクシミリ送信先のアドレスを受け付けるための手段と、前記送信先アドレスとは別途に、クライアントアから前記親展ボックスへのプリントデータを受信し、受信したプリントデータを前記ファクシミリ送信先へ送信するための手段、とを設けたことを特徴とする（請求項１）。
【０００８】
好ましくは、ファクシミリ送信先のアドレスまたはファクシミリ送信する旨の指示をクライアントから受け付けることにより、親展ボックスの状態をファクシミリ送信にセットし、前記ファクシミリ送信を完了することにより、親展ボックスの状態をリセットする（請求項２）。
特に好ましくは、クライアントから親展ボックスの所有者（ユーザー）が親展ボックスへ送信するデータに関して、親展ボックスの状態をプリントとファクシミリ送信の２種類とする。そして、ファクシミリ送信先のアドレスやファクシミリ送信する旨の指示がなければ、状態はプリントとし、このような指示があればファクシミリ送信にセットし、送信完了後にプリントに復帰するようにする。
【０００９】
またこの発明は、ＨＴＴＰサーバ機能を使用して、クライアントにＷＥＢページを送出可能で、ファクシミリとプリントとが可能な複合機のためのプログラムにおいて、ＷＥＢページを介して、クライアントのアドレスを受け付けて、該アドレスに対する親展ボックスを開設するための命令と、ＷＥＢページを介して、クライアントから、ファクシミリ送信先のアドレスを受け付けるための命令と、前記送信先アドレスとは別途に、クライアントアから前記親展ボックスへのプリントデータを受信し、受信したプリントデータを前記ファクシミリ送信先へ送信するための命令とを備えたことを特徴とする（請求項３）。
【００１０】
またこの発明は、ＨＴＴＰサーバ機能を使用して、クライアントにＷＥＢページを送出可能で、ファクシミリとプリントとが可能な複合機と、ネットワークを介して該複合機に接続されたクライアントとからなるシステムにおいて、前記複合機からのＷＥＢページに、クライアントからそのアドレスを記入して、複合機に返信することにより、該アドレスに対する親展ボックスを、複合機内に開設し、前記複合機からのＷＥＢページに、ファクシミリ送信先のアドレスを記入してクライアントから複合機に返信し、かつ該返信とは別途にクライアントからプリントデータを複合機に送出することにより、受信したプリントデータを複合機から指定された送信先アドレスへファクシミリ送信するようにしたことを特徴とする（請求項４）。
【００１１】
なおこの明細書において、親展ボックスは特定のユーザーまたは端末のために情報を蓄積するための場所であり、プライベートボックスと言うことがあり、具体的にはファイルやディレクトリにより構成する。
ファクシミリ送信は、Ｇ３などの公衆電話回線網を介してのファクシミリ送信に限らず、インターネットなどのネットワークを介してのインターネットファクシミリ送信をも意味する。
ファクシミリ送信先のアドレスは、電話番号などのファクシミリ番号や、メールアドレスなどのインターネットファクシミリアドレスを含んでいる。
送信先アドレスとは別途にプリントデータを送信するとは、ファクシミリ送信先を指定したファイルと、プリントデータのファイルを、別のファイルとして送信することを意味する。
【００１２】
【発明の作用と効果】
この発明では、複合機のＨＴＴＰサーバ機能を利用してクライアントにＷＥＢページを送出し、クライアントからＨＴＴＰプロトコルやＦＴＰプロトコル等で、クライアントのＩＰアドレスやＤＮＳ名等のクライアントアドレス（クライアントＩＤ）の入力を受け付け、親展ボックスを開設する。このため、ユーザーは複合機の機側まで行かずに、クライアントから簡単に親展ボックスを開設でき、親展プリントやファクシミリ送信などに利用できる（請求項１〜４）。
【００１３】
開設した親展ボックスに対して、ファクシミリ送信先を指示し、これとは別途に、プリントデータをクライアントから親展ボックスへ送出する。すると複合機は、指定された送信先へのファクシミリ送信データと解釈して、ファクシミリ送信する。このためクライアントにファクシミリボードなどを実装せずに、ファクシミリ送信ができる。ファクシミリ送信するデータと送信先の指示とは別途に送出するので、親展ボックスへのデータの送出は、プリントの場合と同様にすれば良く、クライアントのソフトウェアを意識せずに処理できる（請求項１〜４）。
【００１４】
さらに請求項２のように、親展ボックスの状態を常時はファクシミリ以外のモードとし、ファクシミリ送信先の指示によりファクシミリ送信にセットし、ファクシミリ送信の完了により、通常のモードに戻すと、ユーザーの意図に反してファクシミリ送信を行ったりすることがなく、操作性が更に向上する。
【００１５】
【実施例】
図１〜図８に、実施例を示す。図において、２はプリンタ／ファクシミリ／スキャナ兼用の複合機で、最低限プリントとファクシミリ送信とができれば良い。複合機２は、ＬＡＮ４などのネットワークに接続され、パーソナルコンピュータなどのクライアント６に対する、ネットワークプリンタ並びにファクシミリサーバとして動作する。８はメールサーバで、複合機２はインターネットファクシミリにメールサーバ８を利用する。１０は、ＬＡＮ４をインターネットなどと接続するためのルータである。
【００１６】
１２はネットワークインターフェースで、ネットワークインターフェースカード（ＮＩＣ）などを用い、１４はＣＰＵで、１６は原稿画像を読み取るためのスキャナ、１８はプリンタで、２０は操作・表示部で、複合機２の操作入力を受け付け、かつメニューなどを表示する。２２はモデムで、２４は網制御ユニットであり、公衆電話回線網などと接続して、Ｇ３ファクシミリなどの送受信を行う。また２６は、プリントデータやその他のデータを記憶するためのデータメモリである。２７は画像処理部で、スキャナ１６で読み取った画像データ（イメージデータ）やプリンタ１８でプリントするためのデータ、モデム２２からファクシミリの送受信を行うためのデータなどに対して、画像処理を行う。特に画像処理部２７は、ＰＤＬ（プリント・記述・言語）などのプリンタの種類に依存した画像データを、ＧＩＦ（グラフィクス・インターチェンジ・フォーマット），ＪＰＥＧ（ジョイント・フォトグラフィック・コーディング・エクスパーツ・グループ）などの機種依存性の少ない汎用の画像データに変換したり、あるいは２値データに変換してＭＭＲ，ＭＲ，ＭＨなどのファクシミリ用のデータ圧縮技術により圧縮したりする。
【００１７】
２８はＨＴＴＰサーバ機能処理部で、ネットワークインターフェース１２を構成するネットワークインターフェースカード（ＮＩＣ）などに内蔵させても良い。ＨＴＴＰサーバ機能処理部２８は、ＬＡＮ４を介してクライアント６にＷＥＢページを送出し、ＦＴＰ（ファイル・トランスポート・プロトコル）やＨＴＴＰ（ハイパー・テキスト・トランスポート・プロトコル）などのプロトコルで、クライアントからファイルを受け取る。３０は親展ボックス管理部で、複数の親展ボックス３２を管理する。なお親展ボックス３２をプライベートボックスと呼ぶことがある。
【００１８】
親展ボックスの管理内容は、親展ボックス３２を開設しあるいは削除すること、親展ボックス３２内のデータを管理すること、及び各親展ボックス３２の持ち主のユーザー名、ＩＰアドレス、ＤＮＳ名やパスコード、その他の設定状況（親展ボックスに関する登録状況）を管理することである。親展ボックス３２では、プリント，ファクシミリ送信，ファクシミリ受信などの処理ができる。
【００１９】
図２に、親展ボックス管理テーブル３３の構成を示す。このテーブル３３は、例えば親展ボックス毎３２に設けられ、親展ボックス管理部３０により管理される。テーブル３３には、ユーザー情報として、親展ボックス番号，ユーザー名，ユーザーの使用するクライアントのＩＰアドレス、ＤＮＳ名、パスコードなどが記憶される。また親展ボックスの状態として、プリント機能オン（デフォルトの状態）かファクシミリ送信機能オンかの区別と、プリントやファクシミリ送信するファイルの有無とそのファイル名、並びにファクシミリで着信したファイルの有無とそのファイル名、とを記憶している。なお親展ボックスをファクシミリの受信に用いない場合、着信ファイルの管理は不要である。
【００２０】
親展ボックス管理テーブル３３には、ファクシミリ送信先の入力を容易にするためのディレクトリ（アドレス帳）を記憶し、インターネットファクシミリのために、見出しや短縮番号とＩＰアドレスやメールアドレスとの対応表を記憶している。またＧ３ファクシミリ等の在来型のファクシミリのために、見出しや短縮番号とファクシミリ番号との対応表を記憶している。さらに処理のログとして、プリント，ファクシミリ送信，ファクシミリ着信，その他の履歴を記憶している。なお親展ボックス管理部３０や管理テーブル３３は、複合機２の本体内ではなく、ＮＩＣ（ネットワーク・インターフェース・カード）内に設けても良い。
【００２１】
図１に戻り、実施例では、１ユーザーに対して複数の親展ボックスの開設を可能にしているので、親展ボックス間でのユーザー名の重複は問題にしない。しかしこれに代えて、１ユーザーに対する親展ボックスを１個に制限しても良い。実施例では親展ボックス３２をクライアント６に対応させ、各親展ボックスにはクライアントのアドレスを対応づけて、親展ボックス管理部３０で記憶する。クライアントのアドレスとして、実施例ではＩＰアドレスとＤＮＳ名の双方を記憶するが、例えばこれらの一方のみとしても良い。
【００２２】
実施例では、１クライアントに１ユーザーを前提としているので、同一のクライアントアドレスで複数の親展ボックスを設ける場合、ユーザー名が共通でないと認めない。しかし複数のユーザーでクライアントを共有する場合、同じアドレスのクライアントに対して、ユーザー名の異なる複数の親展ボックスの開設を認めても良い。また１人のユーザーが複数のクライアントを用いる場合、同じユーザー名でクライアントアドレスの異なる複数の親展ボックスを開設できる。
【００２３】
３４はプログラムメモリで、複合機２を動作させるための各種のプログラムを記憶し、特に親展ボックスの開設から削除、並びに親展ボックスを経由してのファクシミリ送信や親展プリントなどの、親展ボックスに関係した処理のプログラムを記憶する。このプログラムは、ＣＤ−ＲＯＭなどの記憶媒体から複合機２に読み込んでも良く、あるいはインターネットなどからＬＡＮ４を介して複合機２内に読み込んでも良い。
【００２４】
複合機２は、ＨＴＴＰサーバ機能処理部２８とネットワークインターフェース１２とを介して、ＨＴＴＰプロトコルにより、クライアント６などにＷＥＢページを送出する。クライアントは、ＷＥＢページを介して指定された項目を入力し、ＦＴＰやＨＴＴＰなどのプロトコルにより、例えばＨＴＭＬ文書などの構造化文書の形態で、入力したデータを複合機２へ送出する。そして複合機２の親展ボックス管理部３０は、受け取った構造化文書からユーザー名やボックス番号、ＩＰアドレス、ＤＮＳ名などのデータを抽出して、親展ボックス３２を開設する。
【００２５】
図３において、３６は親展ボックス開設画面で、複合機２が提供するＷＥＢページであり、図示しない他のＷＥＢページからクライアント側は親展ボックス開設画面３６を呼び出し、親展ボックスのボックス番号とユーザー名並びにＩＰアドレスとＤＮＳ名とを入力する。ボックス番号は例えばユーザー毎の番号とし、重複を許すものとするが、複合機を単位とする番号で重複を許さないものとしても良い。またユーザー名は省略が可能で、実施例ではＩＰアドレスとＤＮＳ名の双方の入力を求めるが、これらの一方のみの入力を求めて、ドメインネームサーバ（ＤＮＳサーバ）などによりＩＰアドレスとＤＮＳ名とを変換するようにしても良い。なおＤＮＳ名は、ドメインネームシステム（ＤＮＳ）により、クライアントを特定できる名称である。さらに親展ボックス開設画面３６では、パスワードやパス番号などのパスコードの登録を受け付け、また親展プリントをプリントの原則とする場合、その旨を「セキュリティオン」の入力で受け付ける。
【００２６】
図４に、親展ボックスの開設手続を示す。なおこのフローチャートでは、パスコードの登録や、親展プリントの要否に関するデフォールト値の選択、などを省略してある。また親展ボックスを開設するための入力は、ＨＴＴＰサーバ機能処理部やＬＡＮを介してクライアントから行っても良く、あるいは複合機の操作・表示部２０から行っても良い。
【００２７】
ユーザーはステップ１でボックス番号を入力し、これはユーザー毎のボックス番号で、ステップ２でボックス番号が入力されたかどうかをチェックし、ステップ３でユーザー名の入力を求める。なおユーザー名の入力の有無は任意である。ステップ４でＩＰアドレスの入力を求め、ステップ５で、同一のＩＰアドレスが別のユーザー名の他の親展ボックスに対して、登録済みかどうかをチェックする。ステップ６でＤＮＳ名の入力を求め、ステップ７で同一のＤＮＳ名が、別のユーザー名の他の親展ボックスに対して、登録済みかどうかをチェックする。そしてボックス番号が未入力の場合や、同一ＩＰアドレスが他のユーザー名のプライベートボックスに対して登録済み、あるいは同一のＤＮＳ名が他のユーザー名の親展ボックスに対して登録済みの場合、拒絶ブザーを鳴動させて、これらの項目の再入力を求める（ステップ８〜１０）。これらの項目が入力されると、親展ボックスを開設する（ステップ１１）。そして親展ボックスの登録を継続する場合、ステップ１２からステップ１に戻り、それ以外の場合は親展ボックスの開設手続を終了する。親展ボックスのメモリ上
【００２８】
以上のように実施例では、複合機のＷＥＢページを利用して親展ボックスを開設できるので、いちいち複合機まで出向かなくても、親展ボックスを設けることができる。
【００２９】
親展ボックスの利用には、大別して親展プリントとファクシミリの送受信とがあり、親展プリントの場合、ユーザーはクライアントから複合機のＷＥＢページを開き、親展プリントを行う旨とパスコードとを入力する。これに対して複合機は、例えばジョブ番号やプリントまでの待ち時間などをＷＥＢページに表示するようにしても良い。ユーザーは次いで複合機の機側へ移動し、パスコードを入力すると、親展プリントが実行される。ファクシミリ受信の場合は、例えば親展ボックス宛てに受信したＧ３ファクシミリをボックス内に保管し、あるいは親展ボックスのユーザー名をメールボックス名のように見なして、そのユーザー名宛に受信したインターネットファクシミリなどを親展ボックス内に保管して、ユーザーの指示により、プリントあるいはクライアントに転送する。
【００３０】
ファクシミリ送信の場合の、クライアントと複合機の接続を図５に示す。複合機はクライアントに親展ボックスに関するＷＥＢページを送出し、クライアントはＷＥＢページにファクシミリ送信機能をオンする旨と送信先のアドレス（ＩＰアドレスやドメイン名、ファクシミリ番号など）を記入して，ＦＴＰやＨＴＴＰにより複合機に返信する。なお送信先のアドレスが指示されると、ファクシミリ送信機能のオンが指示されたものとして、ファクシミリ送信機能をオンにする旨自体は、ＷＥＢページに入力不要にしても良い。
【００３１】
複合機は、これによって親展ボックスの状態をデフォールトのプリントから、ファクシミリ送信に変更し、プリントデータの到着を待つ。一方ユーザーは、送信するデータを扱うソフトウェアから、例えばプリントなどのコマンドを用い、ネットワークプリンタとしての複合機にプリントデータを送出する。ここでのデータの形態はＰＤＬなどの、クライアント／プリンタ間のデータの形態である。ファクシミリ送信の指示はＷＥＢページを介して行われ、プリントデータの送出はワープロソフトウェアなどから、クライアントのＯＳを介して行われる。応用ソフトウェアやＯＳは、親展ボックスからファクシミリ送信することを知る必要はなく、親展ボックスを介してのファクシミリ送信は、クライアント側のソフトウェアやハードウェアとは無関係である。親展ボックスを介してのファクシミリ送信は、クライアントからすると、ネットワークプリンタへのプリントデータの送出である。
【００３２】
複合機では、ファクシミリ送信機能が親展ボックスにオンされてから、所定時間内に、あるいはこの機能がオフされるまでに、到着したプリントデータをファクシミリ送信するデータとする。そしてこのデータを、ＰＤＬ形式のまま、あるいはＧＩＦ，ＪＰＥＧ等の形式で，あるいは２値画像からＭＭＲやＭＲなどによるデータ圧縮を経て、Ｇ３ファクシミリやインターネットファクシミリにより送信する。ファクシミリ送信機能のオン／オフは、親展ボックス単位のオン／オフであり、他の親展ボックスとは関係がない。そしてファクシミリ送信が完了すると、ファクシミリ送信機能をオフし、親展ボックスにその所有者のクライアントから受信したデータはプリントデータと見なし、親展ボックスにこれ以外のユーザーから受信したデータはファクシミリ受信データと見なして処理する。
【００３３】
図６〜図８に、親展ボックスからのファクシミリ送信時のアルゴリズムを示す。なおこの明細書で、設定と登録は同じ意味である。クライアント側では、ステップ２１でＨＴＴＰプロトコルにより、ＷＥＢページから親展ボックスへの登録画面を取り出す。登録依頼をしたクライアントと同じＩＰアドレスや同じＤＮＳ名の親展ボックスがある場合（ステップ２２）、結合子▲１▼からの処理に移行する。このような親展ボックスが存在しない場合、ステップ２３からステップ４４で新たに親展ボックスを開設する。この手続は図４の親展ボックスの開設手続とほぼ同様である。
【００３４】
ステップ２３で親展ボックスのボックス番号を入力し、ボックス番号が未入力の場合（ステップ２４）、ボックス番号の入力を求める。ボックス番号が入力されると、ＨＴＴＰプロトコルでボックス番号を親展ボックス管理部に登録する（ステップ２５）。次いでＩＰアドレスの入力を要求し（ステップ２６〜２８）、同一のＩＰアドレスが他の親展ボックスに対して既に用いられているかどうかをチェックする（ステップ２９）。なおＩＰアドレスが他のボックスに既に登録済みの場合（ステップ２９）、ＩＰアドレスの再入力を求める（ステップ３０）。ボックス番号やＩＰアドレスまでの入力が正しく行われると、結合子▲２▼からステップ３５，ステップ３６に移り、ＤＮＳ名の入力を求め、ステップ３７，ステップ３８で、同一のＤＮＳ名が他の親展ボックスに登録済みかどうかをチェックし、登録済みでない場合、結合子▲４▼へ移行する。なお他の親展ボックスに対して同一のＤＮＳ名が登録済みの場合、結合子▲３▼からＤＮＳ名の再入力を求める。そしてステップ４２〜４４で、ユーザー名の入力を求めて親展ボックスを登録する。
【００３５】
親展ボックスが存在する、または新たに開設した場合、結合子▲１▼から図７の処理に移り、ステップ５１でファクシミリ送信機能をオンにするかどうかをユーザーが入力する。オンにしない場合、ステップ５２，５３でファクシミリ送信機能をオフに設定する。オンにする場合、ステップ５３，５４で、複合機の親展ボックス管理テーブルに、ファクシミリ送信機能オンを登録し、ステップ５７，５８でファクシミリ送信先を登録する。
【００３６】
ファクシミリ送信機能をオンに登録されると、複合機はその親展ボックスにプリントデータが到着するのを待機する。図８にこの処理を示すと、ステップ６１でパケットを受信すると、プリントデータや着信ファクシミリデータのパケットか、それ以外のパケットかをチェックし、他のパケットの場合、ステップ６２で、親展ボックスに関する登録、ログデータの送信などの、その他の処理を実行する。
【００３７】
プリントデータやファクシミリデータを受信すると、ステップ６３で、送出元のＩＰアドレスやＤＮＳ名と一致する親展ボックスが存在するかどうかチェックし（ステップ６３）、存在する場合はその親展ボックス宛のデータと見なし、それ以外の場合、送信先（宛先）のＩＰアドレスやメールボックス名、ユーザー名、等の送信先ＩＤをチェックする（ステップ６４）。送信先ＩＤに一致する親展ボックスが存在すると、そのボックスへのファクシミリ文書の着信として処理する（ステップ６５）。送信先のＩＤに一致する親展ボックスがない場合、一般的なプリントデータとして、プリントする（ステップ６６，６７）。
【００３８】
ステップ６３で、送出元のＩＤと一致する親展ボックスが存在した場合、ステップ６８でファクシミリ送信機能のオン／オフをチェックし、オフであればプリントを実行する（ステップ６６，６７）。オンであれば、登録されたＩＰアドレスに対してインターネットファクシミリを送信し、あるいは登録されたファクシミリ番号に対して自動ダイヤル送信する（ステップ６９）。そして全ページの送信が完了すると、ファクシミリ送信機能をオフする（ステップ７０，７１）。このため、親展ボックスはプリント優先の状態に変化する。
【００３９】
実施例では先にファクシミリ送信機能をオンして、次にプリントデータを送出するものとした。しかし親展ボックスでプリントデータを受信すると、所定時間（例えば３０秒〜１分）プリントせずに、ファクシミリ送信機能のオン設定の有無を待機するようにしても良い。
【００４０】
実施例では、クライアントにネットワークプリンタへの接続を行っただけで、ファクシミリ送信が可能になる。親展ボックスを利用することにより、親展プリント／ファクシミリ送信などの使い分けができ、これらの使い分けに関する設定は、クライアント側で稼動しているソフトウェアとは無関係に、ＷＥＢページを介して行える。
【図面の簡単な説明】
【図１】実施例の複合機の構成と、クライアントとの接続を示すブロック図
【図２】実施例での親展ボックス管理テーブルの構成を示す図
【図３】実施例での親展ボックス（プライベートボックス）の開設用のＷＥＢページを示す図
【図４】実施例での親展ボックスの開設時の処理を示すフローチャート
【図５】実施例での、クライアントと複合機間の接続図で、ファクシミリ送信機能のオンとプリントデータの送信とを示す
【図６】実施例での、親展ボックスへのファクシミリ送信機能のオン手続を示すフローチャートで、親展ボックスの開設を行う際の処理を示す。
【図７】図６の結合子▲１▼以降の処理を示すフローチャート
【図８】実施例での、複合機でのパケット受信時の処理を示すフローチャート
【符号の説明】
２　　　　　　複合機
４　　　　　　ＬＡＮ
６　　　　　　クライアント
８　　　　　　メールサーバ
１０　　　　　ルータ
１２　　　　　ネットワークインターフェース
１４　　　　　ＣＰＵ
１６　　　　　スキャナ
１８　　　　　プリンタ
２０　　　　　操作・表示部
２２　　　　　モデム
２４　　　　　網制御ユニット
２６　　　　　データメモリ
２７　　　　　画像処理部
２８　　　　　ＨＴＴＰサーバ機能処理部
３０　　　　　親展ボックス管理部
３２　　　　　親展ボックス（プライベートボックス）
３３　　　　　親展ボックス管理テーブル
３４　　　　　プログラムメモリ
３６　　　　　親展ボックス開設画面
４０　　　　　ロックファイル
４２　　　　　プリントデータファイル
５０　　　　　ＷＥＢページ
５１　　　　　プリントアイコン
５２　　　　　ＦＡＸアイコン
５４　　　　　親展プリント登録画面
【図１】
2004120088.tif 000003
【図２】
2004120088.tif 000004
【図３】
2004120088.tif 000005
【図４】
2004120088.tif 000006
【図５】
2004120088.tif 000007
【図６】
2004120088.tif 000008
【図７】
2004120088.tif 000009
【図８】
2004120088.tif 000010